(57)【要約】【課題】ゴミ袋の底を丸底にすることで丸底である業務用ポリバケツの底の面積を有効活用し、ゴミ袋を業務用ポリバケツに合致させ、安定性をもたせ、かつゴミ袋の原料を破れにくく、強靭なものにすることで、内容物処理を簡便に衛生的に行うことが可能なゴミの収納袋の提供を目的とする。【解決手段】開口部がガゼット袋状をなす筒体を設け、該筒体のマチの長さを幅員の中央部まで形成し、該幅員中央部の長手方向に沿った折り目部４を介して筒体を二つ折りし、折り目部4に沿った４つのヒダ部１を設け、そのヒダ部１を一つにまとめて接着した接着部２を筒体の底部３に設ける。該開口時に底部３を広げたときに底部中央から接着部２が放射状に展開して平面円形状の丸底になるように形成し、ゴミ袋を業務用ポリバケツＰにフィットしやすくする。加えて、ゴミ袋の原料をLDPE（低密度ポリエチレン）とHDPE（高密度ポリエチレン）の混合レジンにより形成する。【選択図】図３
0003108215.tif 000002
【実用新案登録請求の範囲】
【請求項１】
開口部がガゼット袋状をなす筒体を設け、該筒体のマチの長さを筒体幅員の中央部まで形成し、該幅員中央部の長手方向に沿った折り目部を介して筒体を二つ折りし、前記折り目部に沿った４つのヒダ部を設け、そのヒダ部を一つにまとめて接着した接着部を筒体の底部に設け、底部を広げたときに底部中央から接着部が放射状に展開して平面円形状の丸底が形成されることを特徴とするゴミ袋。
【請求項２】
前記平面円形状の底部は、丸底業務用ポリバケツの底部形状に合致するサイズに設けられた請求項１記載のゴミ袋。
【請求項３】
前記ゴミ袋は、LDPE（低密度ポリエチレン）とHDPE（高密度ポリエチレン）の混合レジンで形成された請求項１記載のゴミ袋。
【考案の詳細な説明】
【技術分野】
【０００１】
本考案は、ゴミ袋の底を丸底にし、業務用ポリバケツの底の面積を有効活用するだけでなく、従来のゴミ袋に使用されているポリエチレンより薄くて強靭なフィルムで形成された、ゴミ袋に関する。
【背景技術】
【０００２】
従来ゴミ袋は、業務用ポリバケツのほとんどが丸底であるにもかかわらず、一括横断方向にシールした角底が定番となっていたため、従来のゴミ袋は、ゴミ袋を開いたときに底面の面積を有効活用できないでいた。また、業務用ポリバケツにしっかり合致せず、ゴミなどの内容物の処理において不衛生であり、ゴミ袋が破れてしまうなどの多くの不便があった。
【０００３】
また、それに加え、従来のゴミ袋は、LDPE（低密度ポリエチレン）を原料とするもので、伸びのある特性をもち、袋が薄くなる特性のため、袋全体を厚くする必要があり、石油資源の浪費につながる非経済性が否めないものであった。
【０００４】
特許文献１に記載のゴミ袋は、袋の中に他の袋を入れて順次重ねたゴミ袋を用い、重ねたまま袋を広げ、ゴミ容器の縁と内側を覆い、左右の摘みの穴をゴミ容器の左右の突起等にはめ込み使用するものが考案されている。
【０００５】
特許文献２に記載のゴミ袋は、合成樹脂を原料とし、袋を重ねて、底にシール部を設けて業務用ポリバケツや家庭用ゴミ箱の底の面積を有効活用するためのものが考案されている。
【特許文献１】実開平２−６６４０２号公報
【特許文献２】実開昭６３−１７３８号公報
【考案の開示】
【考案が解決しようとする課題】
【０００６】
しかし、特許文献１においては、業務用ポリバケツの上部に突起を設け、その突起部分に袋を係止することが提案されているが、袋の底部においては、角底のままである。例えば、重いゴミなどの内容物などを入れた場合、重いゴミなどの内容物は、底部下端の狭くなった部分に集中し、該底部下端の面積も狭くなり、業務用ポリバケツの円形底部を完全に有効活用しているものとは言い難い。
【０００７】
また、特許文献２においては、確かに、ゴミ袋の底部を略円形状にすることで、業務用ポリバケツの底の面積を有効活用させるものが考案されているが、特許文献２の原料は、ポリエチレンのみから形成され、ポリエチレン自体が、伸びのある特性を持つため、薄くなることを防ぐため肉厚にならざるを得なくなるため石油資源の浪費にもつながる。
【０００８】
そこで本考案は、上述の課題を解決すべく創出されたもので、従来のゴミ袋の原料には見られない、LDPE（低密度ポリエチレン）とHDPE（高密度ポリエチレン）の混合レジンできており、加えて、ゴミ袋の底を丸底とし、安定性を持たせ、かつ業務用ポリバケツにフィットさせ、業務用ポリバケツの底の面積を有効活用することができるゴミ袋の提供を目的とするものである。
【課題を解決するための手段】
【０００９】
考案の第１の手段は、開口部がガゼット袋状をなす筒体を設け、該筒体のマチの長さを筒体幅員の中央部まで形成し、該幅員中央部の長手方向に沿った折り目部を介して筒体を二つ折りし、前記折り目部に沿った４つのヒダ部を設け、そのヒダ部を一つにまとめて接着した接着部を筒体の底部に設け、底部を広げたときに底部中央から接着部が放射状に展開して平面円形状の丸底が形成されるようにしたことにある。
【００１０】
第２の手段は、ゴミ袋の平面円形状の底部が、丸底業務用ポリバケツの底部形状に合致するサイズに設けられたことにある。
【００１１】
第３の手段は、ゴミ袋の原料を、LDPE（低密度ポリエチレン）とHDPE（高密度ポリエチレン）の混合レジンとすることを課題解消のための手段とする。
【考案の効果】
【００１２】
請求項１の構成により、開口部がガゼット袋状をなす筒体を設け、該筒体のマチの長さを幅員の中央部まで形成し、該幅員中央部の長手方向に沿った折り目部を介して筒体を二つ折りし、前記折り目部に沿った４つのヒダ部を設け、そのヒダ部を一つにまとめて接着した接着部を筒体の底部に設けたことで、ゴミ袋の底が丸底となるため、ゴミ袋の底の面積を有効に使用することができ、より多くのものを収めることができる。
【００１３】
請求項２の構成により、ゴミ袋の平面円形状の底部が、丸底業務用ポリバケツの底部形状に合致するサイズに設けられたことにより、業務用ポリバケツ等に合致しやすく、ゴミ収納袋に安定感が生まれ、ゴミなどの内容物を回収時まとめやすく、簡便に取り外すことができ、かつ衛生的に処理することができる。
【００１４】
請求項３の構成により、伸びのある特性をもつために厚さが必要となるLDPE（低密度ポリエチレン）のみを原料とするゴミ袋よりも薄くして、強靭なゴミ袋となっているため、先端がとがった棒や割り箸その他棒状のもので突き刺しても、穴が開きにくい。加えて内容物が液体などでも漏れにくい。
【００１５】
また、本考案は、前述のような原料からできているため、従来のゴミ袋や前述の特許文献に記載のゴミ袋よりも、薄いゴミ袋となっている。そのため、従来のゴミ袋が、伸びのある特性を持った材質で肉厚に作られているために、石油資源を浪費するという課題を解決することができた。
【考案を実施するための最良の形態】
【００１６】
本考案は、LDPE（低密度ポリエチレン）とHDPE（高密度ポリエチレン）の混合レジンを原料とするゴミ袋であり、開口部がガゼット袋状をなす筒体を設け、該筒体のマチの長さを幅員の中央部まで形成し、該幅員中央部の長手方向に沿った折り目部４を介して筒体を二つ折りし、前記折り目部４に沿った４つのヒダ部１を設け、そのヒダ部１を一つにまとめて接着した接着部２を筒体の底部３に設け、底部３を広げたときに底部中央から接着部２が放射状に展開して平面円形状の丸底が形成されることで、当初の目的を達成する。
【実施例】
【００１７】
次に、図面に基づいて本考案の実施例を詳細に説明する。本考案のゴミ袋は、開口部平面において、対向する一対の側縁が内側に屈曲される所謂ガゼット袋を使用する。該開口部がガゼット袋状をなす筒体を設け、該筒体のマチの長さを幅員の中央部まで形成し、該幅員中央部の長手方向に沿った折り目部４を設ける（図２参照）。その折り目部４を介して筒体を二つ折りし、前記折り目部に沿った４つのヒダ部１を設け（図１参照）、該ヒダ部１を一つにまとめて接着した接着部２を筒体の底部３に設け、該底部３を広げたときに底部中央から接着部が放射状に展開して平面円形状の丸底が形成される。
【００１８】
また、該ゴミ袋は、LDPE（低密度ポリエチレン）とHDPE（高密度ポリエチレン）の混合レジンで形成されたゴミ袋である。該ゴミ袋の薄さを従来のゴミ袋と比較した場合、４５リットル用のもので、従来のゴミ袋の薄さが、０．０３０ｍｍであるのに対して、本考案のゴミ袋は、０．０２０ｍｍとなり、７０リットル用のもので従来のゴミ袋の薄さが、０．０３５ｍｍであるのに対して、本考案のゴミ袋は、０．０２５ｍｍとなり、９０リットル用のゴミ袋においては、従来のゴミ袋の薄さが０．０４０ｍｍであるのに対して、本考案のゴミ袋は、０．０３０ｍｍとなる。
【００１９】
開口時に、ヒダ部１を一つにまとめて接着した接着部２が袋の底部３に設けられているので、底部を展開したときに、底部中央から接着部が放射状に展開して平面円形状の底部３を設ける。
【００２０】
ゴミ袋に安定性を持たせるために袋の底部３を連続させ、かつ、丸底になるように形成し、加えてゴミ袋を業務用ポリバケツＰにフィットしやすくしている（図４参照）。
【００２１】
本考案ゴミ袋をポリバケツＰに設置するには、まず図１の状態から底部を展開させ、底部中央から接着部を放射状に展開して平面円形状ができるようにする（図３参照）。その状態で業務用ポリバケツＰの底部形状にゴミ袋の底部３を合致させてゴミ袋を装着する（図４参照）。
【図面の簡単な説明】
【００２２】
【図１】本考案ゴミ袋の一実施例を示す斜視図である。
【図２】本考案の折り目部を示す斜視図である。
【図３】本考案の底部を示す平面図である。
【図４】本考案ゴミ袋をゴミ容器に装着した状態の斜視図である。
【符号の説明】
【００２３】
Ｐ  ポリバケツ
１  ヒダ部
２  接着部
３  底部
４  折り目部
【図１】
0003108215.tif 000003
【図２】
0003108215.tif 000004
【図３】
0003108215.tif 000005
【図４】
0003108215.tif 000006